(57)【特許請求の範囲】
【請求項１】
第１無線基地局及び該第１無線基地局に隣接する第２無線基地局を具備する移動通信システムであって、
前記第１無線基地局が、配下の第１セルにおいて、待ち受け状態の移動局による測定用のサブフレームを示す測定用サブフレームパターン情報を報知している場合、前記第２無線基地局は、配下の第２セルにおいて、隣接セルにおいて前記測定用サブフレームパターン情報が報知されているか否かについて通知する設定報知情報を報知するように構成されており、
待ち受け状態の移動局は、前記第２セルにおいて報知されている前記設定報知情報に基づいて、隣接セルにおいて前記測定用サブフレームパターン情報が報知されていることを検出した場合に、前記第１セルにおいて報知されている前記測定用サブフレームパターン情報を受信し、該測定用サブフレームパターン情報に基づいて測定処理を行うように構成されていることを特徴とする移動通信システム。
【請求項２】
前記測定用サブフレームパターン情報は、前記第１セルにおいてＡＢＳ（Ａｌｍｏｓｔ  Ｂｌａｎｋ  Ｓｕｂｆｒａｍｅ）として設定されているサブフレームのうちの１又は複数のサブフレームを示すことを特徴とする請求項１に記載の移動通信システム。
【請求項３】
第１無線基地局及び該第１無線基地局に隣接する第２無線基地局との間で通信可能な移動局であって、
待ち受け状態である場合に、前記第２無線基地局配下の第２セルにおいて報知されている設定報知情報に基づいて、隣接セルにおいて前記測定用サブフレームパターン情報が報知されていることを検出した場合に、前記第１無線基地局配下の第１セルにおいて報知されている測定用サブフレームパターン情報を受信するように構成されている受信部と、
待ち受け状態である場合に、前記受信部によって受信された前記測定用サブフレームパターン情報に基づいて測定処理を行うように構成されている測定部とを具備し、
前記設定通知情報は、隣接セルにおいて前記測定用サブフレームパターン情報が報知されているか否かについて通知する情報であり、
前記測定用サブフレームパターン情報は、待ち受け状態の移動局による測定用のサブフレームを示す情報であることを特徴とする移動局。
【請求項４】
前記測定用サブフレームパターン情報は、前記第１セルにおいてＡＢＳ（Ａｌｍｏｓｔ  Ｂｌａｎｋ  Ｓｕｂｆｒａｍｅ）として設定されているサブフレームのうちの１又は複数のサブフレームを示すことを特徴とする請求項３に記載の移動局。
【発明の詳細な説明】
【技術分野】
【０００１】
本発明は、移動通信システム及び移動局に関する。
【背景技術】
【０００２】
ＬＴＥ（Ｌｏｎｇ  Ｔｅｒｍ  Ｅｖｏｌｕｔｉｏｎ）のＲｅｌ-１０方式における「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」では、図５に示すように、個別ＲＲＣ（Ｒａｄｉｏ  Ｒｅｓｏｕｒｃｅ  Ｃｏｎｔｒｏｌ）シグナリングによって、Ｃｏｎｎｅｃｔｅｄモードの移動局ＵＥに対して「Ｍｅａｓｕｒｅｍｅｎｔ  Ｓｕｂｆｒａｍｅ  Ｐａｔｔｅｒｎ」を通知することが合意された（非特許文献１参照）。
【０００３】
ここで、「Ｍｅａｓｕｒｅｍｅｎｔ  Ｓｕｂｆｒａｍｅ  Ｐａｔｔｅｒｎ」は、Ｃｏｎｎｅｃｔｅｄモードの移動局ＵＥが、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）を測定し、無線リンク（Ｒａｄｉｏ  Ｌｉｎｋ）を監視するために用いられるサブフレームを示す測定サブフレームパターン情報である。
【０００４】
一方、ＬＴＥのＲｅｌ-１０方式における「ｅＩＣＩＣ」において、Ｉｄｌｅモードの移動局ＵＥに対して「Ｍｅａｓｕｒｅｍｅｎｔ  Ｓｕｂｆｒａｍｅ  Ｐａｔｔｅｒｎ」を通知することについては合意されていない。
【０００５】
しかしながら、以下の２つのケースにおける問題点を解決するために、Ｉｄｌｅモードの移動局ＵＥに対して「Ｍｅａｓｕｒｅｍｅｎｔ  Ｓｕｂｆｒａｍｅ  Ｐａｔｔｅｒｎ」を通知することが必要であると考えられる。
【０００６】
第１のケースは、マクロセル（Ｍａｃｒｏ  ｃｅｌｌ）及びピコセル（Ｐｉｃｏ  ｃｅｌｌ）が隣接しているケースであり、第２のケースは、マクロセル及びＣＳＧ（Ｃｌｏｓｅｄ  Ｓｕｂｓｃｒｉｂｅｒ  Ｇｒｏｕｐ）セルが隣接しているケースである。
【０００７】
ＬＴＥのＲｅｌ-１０方式では、第１のケースにおいて、Ｃｏｎｎｅｃｔｅｄモードの移動局ＵＥに対して積極的にピコセルを選択するようにハンドオーバ処理におけるパラメータを設定し、干渉を防ぐために無線リソースを時分割し、時分割された無線リソースの一部で「Ｍｅａｓｕｒｅｍｅｎｔ処理」を行うことについて規定されている。
【０００８】
ここで、ＬＴＥのＲｅｌ-１０方式では、Ｉｄｌｅモードの移動局ＵＥに対して「Ｍｅａｓｕｒｅｍｅｎｔ  Ｓｕｂｆｒａｍｅ  Ｐａｔｔｅｒｎ」が通知されないため、Ｉｄｌｅモードの移動局ＵＥは、ピコセルに近づいてもマクロセルにおける待ちうけ状態を継続し、マクロセルにおいてＣｏｎｎｅｃｔｅｄモードに遷移し、ピコセルの品質測定後に送信する「ｍｅａｓｕｒｅｍｅｎｔ  Ｒｅｐｏｒｔ」を契機として設定されるハンドオーバパラメータを用いて初めてマクロセルからピコセルに対してハンドオーバを行うように構成されている。
【０００９】
したがって、Ｉｄｌｅモードの移動局ＵＥが、ピコセルにおいてＣｏｎｎｅｃｔｅｄ状態に遷移後に、マクロセル経由の不要なハンドオーバ発生してしまうという問題点があった。
【００１０】
また、第２のケースでは、ＣＳＧセルに対してアクセス権を有しない移動局ＵＥにとってＣＳＧセルは干渉源になる。
【００１１】
したがって、ＣＳＧセルに対してアクセス権を有しないＩｄｌｅモードの移動局ＵＥが、かかるＣＳＧセルに近づいた場合、かかるＣＳＧセルからの干渉により、待ち受けセル（ｃａｍｐ-ｏｎ  ｃｅｌｌ）を見つけることができず、待ち受けセルを探し続ける状態（「Ａｎｙ  ｃｅｌｌ  ｓｅｌｅｃｔｉｏｎ  ｓｔａｔｅ」）にとどまり続けてしまうという問題点があった。
【００１２】
そこで、かかるＩｄｌｅモードの移動局ＵＥに対する「Ｍｅａｓｕｒｅｍｅｎｔ  Ｓｕｂｆｒａｍｅ  Ｐａｔｔｅｒｎ」の通知方法として、報知情報に載せて「Ｍｅａｓｕｒｅｍｅｎｔ  Ｓｕｂｆｒａｍｅ  Ｐａｔｔｅｒｎ」を通知する方法が提案されている（非特許文献２参照）。
【００１３】
また、かかる方法において、「Ｍｅａｓｕｒｅｍｅｎｔ  Ｓｕｂｆｒａｍｅ  Ｐａｔｔｅｒｎ」に加えて、かかる「Ｍｅａｓｕｒｅｍｅｎｔ  Ｓｕｂｆｒａｍｅ  Ｐａｔｔｅｒｎ」を適用して「Ｍｅａｓｕｒｅｍｅｎｔ処理」を行うべきか否かについて判定するための閾値についても併せて報知することが提案している（非特許文献３参照）。
【００１４】
ここで、Ｉｄｌｅモードの移動局ＵＥは、「Ｍｅａｓｕｒｅｍｅｎｔ  Ｓｕｂｆｒａｍｅ  Ｐａｔｔｅｒｎ」を適用せずに測定したＲＳＲＱが閾値よりも低い場合に、「Ｍｅａｓｕｒｅｍｅｎｔ  Ｓｕｂｆｒａｍｅ  Ｐａｔｔｅｒｎ」を適用するように構成されている。
【先行技術文献】
【非特許文献】
【００１５】
【非特許文献１】３ＧＰＰ寄書  Ｒ２-１１１６１７
【非特許文献２】３ＧＰＰ寄書  Ｒ２-１０６３４５
【非特許文献３】３ＧＰＰ寄書  Ｒ２-１０６２８０
【発明の概要】
【発明が解決しようとする課題】
【００１６】
しかしながら、上述の提案技術では、図６に示すように、「ｅＩＣＩＣ」を行う全てのセル（マクロセルやピコセルやＣＳＧセル等）において、Ｉｄｌｅモードの移動局ＵＥに対する「Ｍｅａｓｕｒｅｍｅｎｔ  Ｓｕｂｆｒａｍｅ  Ｐａｔｔｅｒｎ」を報知する必要があり、報知情報におけるオーバヘッドが増加してしまうという問題点があった。
【００１７】
そこで、本発明は、上述の課題に鑑みてなされたものであり、「Ｍｅａｓｕｒｅｍｅｎｔ  Ｓｕｂｆｒａｍｅ  Ｐａｔｔｅｒｎ」を報知するセルを減らすことができる移動通信システム及び移動局を提供することを目的とする。
【課題を解決するための手段】
【００１８】
本発明の第１の特徴は、第１無線基地局及び該第１無線基地局に隣接する第２無線基地局を具備する移動通信システムであって、前記第１無線基地局が、配下の第１セルにおいて、待ち受け状態の移動局による測定用のサブフレームを示す測定用サブフレームパターン情報を報知している場合、前記第２無線基地局は、配下の第２セルにおいて、隣接セルにおいて前記測定用サブフレームパターン情報が報知されているか否かについて通知する設定報知情報を報知するように構成されており、待ち受け状態の移動局は、前記第２セルにおいて報知されている前記設定報知情報に基づいて、隣接セルにおいて前記測定用サブフレームパターン情報が報知されていることを検出した場合に、前記第１セルにおいて報知されている前記測定用サブフレームパターン情報を受信し、該測定用サブフレームパターン情報に基づいて測定処理を行うように構成されていることを要旨とする。
【００１９】
本発明の第２の特徴は、第１無線基地局及び該第１無線基地局に隣接する第２無線基地局との間で通信可能な移動局であって、待ち受け状態である場合に、前記第２無線基地局配下の第２セルにおいて報知されている設定報知情報に基づいて、隣接セルにおいて前記測定用サブフレームパターン情報が報知されていることを検出した場合に、前記第１無線基地局配下の第１セルにおいて報知されている測定用サブフレームパターン情報を受信するように構成されている受信部と、待ち受け状態である場合に、前記受信部によって受信された前記測定用サブフレームパターン情報に基づいて測定処理を行うように構成されている測定部とを具備し、前記設定通知情報は、隣接セルにおいて前記測定用サブフレームパターン情報が報知されているか否かについて通知する情報であり、前記測定用サブフレームパターン情報は、待ち受け状態の移動局による測定用のサブフレームを示す情報であることを要旨とする。
【発明の効果】
【００２０】
以上説明したように、本発明によれば、「Ｍｅａｓｕｒｅｍｅｎｔ  Ｓｕｂｆｒａｍｅ  Ｐａｔｔｅｒｎ」を報知するセルを減らすことができる移動通信システム及び移動局を提供することができる。
【図面の簡単な説明】
【００２１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動局の動作を示すフローチャートである。
【図５】従来の移動通信システムについて説明するための図である。
【図６】従来の移動通信システムについて説明するための図である。
【発明を実施するための形態】
【００２２】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２３】
本実施形態に係る移動通信システムでは、「ｅＩＣＩＣ」を行うことができるように構成されている。
【００２４】
図１に示すように、本実施形態に係る移動通信システムは、セル＃１を管理する無線基地局ｅＮＢ＃１と、セル＃２を管理する無線基地局ｅＮＢ＃２とを具備している。
【００２５】
ここで、セル＃１及び＃２は、マクロセルであってもよいし、ピコセルであってもよいし、ＣＳＧセルであってもよい。なお、ピコセルは、フェムト（Ｆｅｍｔｏ）セルやマイクロ（Ｍｉｃｒｏ）セル等と呼ばれてもよい。
【００２６】
本実施形態に係る移動通信システムでは、セル＃１は、ピコセルであり、セル＃２は、マクロセルであるものとする。また、Ｉｄｌｅモードの移動局ＵＥに係るサービングセル（Ｓｅｒｖｉｎｇ  ｃｅｌｌ）は、セル＃２であり、Ｉｄｌｅモードの移動局ＵＥに係る隣接セル（Ｎｅｉｇｈｂｏｒ  ｃｅｌｌ）は、セル＃１であるものとする。
【００２７】
図２に示すように、無線基地局ｅＮＢ＃２は、受信部１１と、判定部１２と、送信部１３とを具備している。
【００２８】
受信部１１は、周辺の無線基地局ｅＮＢ（例えば、無線基地局ｅＮＢ＃１）や移動局ＵＥから各種信号を受信するように構成されている。
【００２９】
例えば、受信部１１は、周辺の無線基地局ｅＮＢ（例えば、無線基地局ｅＮＢ＃１）から、Ｘ２インターフェイスを介して、配下のセル（例えば、セル＃１）において「Ｍｅａｓｕｒｅｍｅｎｔ  Ｓｕｂｆｒａｍｅ  Ｐａｔｔｅｒｎ」が報知されているか否かについて示す情報を受信するように構成されていてもよい。
【００３０】
或いは、受信部１１は、周辺の無線基地局ｅＮＢ（例えば、無線基地局ｅＮＢ＃１）配下のセル（例えば、セル＃１）における報知情報を受信するように構成されている。
【００３１】
判定部１２は、隣接セルにおいて「Ｍｅａｓｕｒｅｍｅｎｔ  Ｓｕｂｆｒａｍｅ  Ｐａｔｔｅｒｎ」が報知されているか否かについて判定するように構成されている。
【００３２】
例えば、判定部１２は、受信部１１によって受信された周辺の無線基地局ｅＮＢからの情報に基づいて、隣接セルにおいて「Ｍｅａｓｕｒｅｍｅｎｔ  Ｓｕｂｆｒａｍｅ  Ｐａｔｔｅｒｎ」が報知されているか否かについて判定するように構成されていてもよい。
【００３３】
或いは、判定部１２は、受信部１１によって受信された報知情報に基づいて、隣接セルにおいて「Ｍｅａｓｕｒｅｍｅｎｔ  Ｓｕｂｆｒａｍｅ  Ｐａｔｔｅｒｎ」が報知されているか否かについて判定するように構成されていてもよい。
【００３４】
送信部１３は、周辺の無線基地局ｅＮＢや移動局ＵＥに対して各種信号を送信するように構成されている。
【００３５】
例えば、送信部１３は、配下のセル＃２に対して、報知情報を送信するように構成されている。
【００３６】
ここで、送信部１３は、配下のセル＃２において、隣接セルにおいて「Ｍｅａｓｕｒｅｍｅｎｔ  Ｓｕｂｆｒａｍｅ  Ｐａｔｔｅｒｎ」が報知されているか否かについて示す設定通知情報を含む報知情報を送信するように構成されている。
【００３７】
具体的には、送信部１３は、判定部１２によって隣接セルにおいて「Ｍｅａｓｕｒｅｍｅｎｔ  Ｓｕｂｆｒａｍｅ  Ｐａｔｔｅｒｎ」が報知されていると判定された場合、設定通知情報に「１」を設定し、判定部１２によって隣接セルにおいて「Ｍｅａｓｕｒｅｍｅｎｔ  Ｓｕｂｆｒａｍｅ  Ｐａｔｔｅｒｎ」が報知されていないと判定された場合、設定通知情報に「０」を設定するように構成されている。
【００３８】
なお、送信部１３は、全ての隣接セルにおいて「Ｍｅａｓｕｒｅｍｅｎｔ  Ｓｕｂｆｒａｍｅ  Ｐａｔｔｅｒｎ」が報知されていると判定された場合、設定通知情報に「１」を設定し、一部の隣接セルにおいて「Ｍｅａｓｕｒｅｍｅｎｔ  Ｓｕｂｆｒａｍｅ  Ｐａｔｔｅｒｎ」が報知されていないと判定された場合、設定通知情報に「０」を設定するように構成されていてもよい。
【００３９】
或いは、送信部１３は、一部の隣接セルにおいて「Ｍｅａｓｕｒｅｍｅｎｔ  Ｓｕｂｆｒａｍｅ  Ｐａｔｔｅｒｎ」が報知されていると判定された場合、設定通知情報に「１」を設定し、全ての隣接セルにおいて「Ｍｅａｓｕｒｅｍｅｎｔ  Ｓｕｂｆｒａｍｅ  Ｐａｔｔｅｒｎ」が報知されていないと判定された場合、設定通知情報に「０」を設定するように構成されていてもよい。
【００４０】
また、送信部１３は、所定数の隣接セルにおいて「Ｍｅａｓｕｒｅｍｅｎｔ  Ｓｕｂｆｒａｍｅ  Ｐａｔｔｅｒｎ」が報知されていると判定された場合、設定通知情報に「１」を設定し、所定数の隣接セルにおいて「Ｍｅａｓｕｒｅｍｅｎｔ  Ｓｕｂｆｒａｍｅ  Ｐａｔｔｅｒｎ」が報知されていないと判定された場合、設定通知情報に「０」を設定するように構成されていてもよい。
【００４１】
また、送信部１２は、周辺の無線基地局ｅＮＢに対して、Ｘ２インターフェイスを介して、配下のセル＃２において「Ｍｅａｓｕｒｅｍｅｎｔ  Ｓｕｂｆｒａｍｅ  Ｐａｔｔｅｒｎ」が報知されているか否かについて示す情報を送信するように構成されていてもよい。
【００４２】
なお、「Ｍｅａｓｕｒｅｍｅｎｔ  Ｓｕｂｆｒａｍｅ  Ｐａｔｔｅｒｎ」は、隣接セル＃１においてＡＢＳ（Ａｌｍｏｓｔ  Ｂｌａｎｋ  Ｓｕｂｆｒａｍｅ）として設定されているサブフレームのうちの１又は複数のサブフレームを示す測定サブフレームパターン情報である。
【００４３】
図３に示すように、移動局ＵＥは、受信部２１と、判定部２２と、測定部２３とを具備している。ここで、移動局ＵＥは、Ｉｄｌｅモードであるものとする。
【００４４】
受信部２１は、無線基地局ｅＮＢによって送信される報知情報を受信するように構成されている。
【００４５】
例えば、受信部２１は、サービングセルであるセル＃２における報知情報、及び、隣接セルであるセル＃１における報知情報を受信するように構成されている。
【００４６】
判定部２２は、セル＃２において報知されている設定報知情報に基づいて、隣接セル（例えば、セル＃１）において「Ｍｅａｓｕｒｅｍｅｎｔ  Ｓｕｂｆｒａｍｅ  Ｐａｔｔｅｒｎ」が報知されているか否かについて判定するように構成されている。
【００４７】
例えば、判定部２２が、セル＃２において報知されている設定報知情報に基づいて、隣接セル（例えば、セル＃１）において「Ｍｅａｓｕｒｅｍｅｎｔ  Ｓｕｂｆｒａｍｅ  Ｐａｔｔｅｒｎ」が報知されていることを検出した場合に、受信部２１は、セル＃１において報知されている「Ｍｅａｓｕｒｅｍｅｎｔ  Ｓｕｂｆｒａｍｅ  Ｐａｔｔｅｒｎ」を受信するように構成されている。
【００４８】
なお、受信部２１が、サービングセル（例えば、セル＃２）における報知情報（ＳＩ：Ｓｙｓｔｅｍ  Ｉｎｆｏｒｍａｔｉｏｎ）に含まれる設定報知情報を取得し、判定部２２が、かかる設定報知情報に基づいて、隣接セル（例えば、セル＃１）において「Ｍｅａｓｕｒｅｍｅｎｔ  Ｓｕｂｆｒａｍｅ  Ｐａｔｔｅｒｎ」が報知されていることを検出した場合に、受信部２１が、隣接セルにおける報知情報（ＳＩ）に含まれる「Ｍｅａｓｕｒｅｍｅｎｔ  Ｓｕｂｆｒａｍｅ  Ｐａｔｔｅｒｎ」を取得するように構成されていてもよい。
【００４９】
或いは、受信部２１が、マクロセル（例えば、セル＃２）における報知情報（ＳＩ）に含まれる設定報知情報を取得し、判定部２２が、かかる設定報知情報に基づいて、隣接セル（例えば、セル＃１）において「Ｍｅａｓｕｒｅｍｅｎｔ  Ｓｕｂｆｒａｍｅ  Ｐａｔｔｅｒｎ」が報知されていることを検出した場合に、受信部２１が、ピコセル或いはＣＳＧセルにおける報知情報（ＳＩ）に含まれる「Ｍｅａｓｕｒｅｍｅｎｔ  Ｓｕｂｆｒａｍｅ  Ｐａｔｔｅｒｎ」を取得するように構成されていてもよい。
【００５０】
測定部２３は、受信部２１によって受信された「Ｍｅａｓｕｒｅｍｅｎｔ  Ｓｕｂｆｒａｍｅ  Ｐａｔｔｅｒｎ」に基づいて、サービングセルや隣接セルにおける「Ｍｅａｓｕｒｅｍｅｎｔ処理」を行うように構成されている。
【００５１】
以下、図４を参照して、本実施形態に係る移動局の動作について説明する。
【００５２】
図４に示すように、ステップＳ１０１において、移動局ＵＥは、サービングセル（或いは、マクロセル）における報知情報（ＳＩ）を受信し、かかる報知情報に含まれる設定通知情報を取得する。
【００５３】
ステップＳ１０２において、移動局ＵＥは、かかる設定通知情報に基づいて、隣接セルにおいて「Ｍｅａｓｕｒｅｍｅｎｔ  Ｓｕｂｆｒａｍｅ  Ｐａｔｔｅｒｎ」が報知されているか否かについて判定する。
【００５４】
「ＹＥＳ」の場合、本動作は、ステップＳ１０３に進み、「ＮＯ」の場合、本動作は、ステップＳ１０４に進む。
【００５５】
ステップＳ１０３において、移動局ＵＥは、隣接セル（或いは、ピコセルやＣＳＧセル）におけるにおける報知情報（ＳＩ）を受信し、かかる報知情報に含まれる「Ｍｅａｓｕｒｅｍｅｎｔ  Ｓｕｂｆｒａｍｅ  Ｐａｔｔｅｒｎ」を取得する。
【００５６】
ステップＳ１０４において、移動局ＵＥは、「Ｍｅａｓｕｒｅｍｅｎｔ  Ｓｕｂｆｒａｍｅ  Ｐａｔｔｅｒｎ」を取得した場合、かかる「Ｍｅａｓｕｒｅｍｅｎｔ  Ｓｕｂｆｒａｍｅ  Ｐａｔｔｅｒｎ」によって示されているサブフレーム（ＡＢＳ）において「Ｍｅａｓｕｒｅｍｅｎｔ処理」を行う。
【００５７】
例えば、ＣＳＧセルにアクセス権のある移動局ＵＥは、ＣＳＧセルから取得した「Ｍｅａｓｕｒｅｍｅｎｔ  Ｓｕｂｆｒａｍｅ  Ｐａｔｔｅｒｎ」によって示されているサブフレーム（ＡＢＳ）以外で「Ｍｅａｓｕｒｅｍｅｎｔ処理」を行い、アクセス権の無い移動局ＵＥは、ＣＳＧセルから取得した「Ｍｅａｓｕｒｅｍｅｎｔ  Ｓｕｂｆｒａｍｅ  Ｐａｔｔｅｒｎ」によって示されているサブフレーム（ＡＢＳ）で「Ｍｅａｓｕｒｅｍｅｎｔ処理」を行う。
【００５８】
一方、ステップＳ１０４において、移動局ＵＥは、「Ｍｅａｓｕｒｅｍｅｎｔ  Ｓｕｂｆｒａｍｅ  Ｐａｔｔｅｒｎ」を取得していない場合、任意のサブフレームにおいて「Ｍｅａｓｕｒｅｍｅｎｔ処理」を行う。
【００５９】
本実施形態に係る移動通信システムによれば、マクロセルやサービングセル（例えば、セル＃２）において、「Ｍｅａｓｕｒｅｍｅｎｔ  Ｓｕｂｆｒａｍｅ  Ｐａｔｔｅｒｎ」を報知する代わりに、上述の設定通知情報を報知するように構成されているため、「Ｍｅａｓｕｒｅｍｅｎｔ  Ｓｕｂｆｒａｍｅ  Ｐａｔｔｅｒｎ」を送信するセルを減らすことができる。
【００６０】
以上に述べた本実施形態の特徴は、以下のように表現されていてもよい。
【００６１】
本実施形態の第１の特徴は、無線基地局ｅＮＢ＃１（第１無線基地局）及び無線基地局ｅＮＢ＃１に隣接する無線基地局ｅＮＢ＃２（第２無線基地局）を具備する移動通信システムであって、無線基地局ｅＮＢ＃１が、配下のセル＃１（第１セル）において、Ｉｄｌｅモードの移動局ＵＥによる測定用のサブフレームを示す「Ｍｅａｓｕｒｅｍｅｎｔ  Ｓｕｂｆｒａｍｅ  Ｐａｔｔｅｒｎ（測定用サブフレームパターン情報）」を報知している場合、無線基地局ｅＮＢ＃２は、配下のセル＃２（第２セル）において、隣接セルにおいて「Ｍｅａｓｕｒｅｍｅｎｔ  Ｓｕｂｆｒａｍｅ  Ｐａｔｔｅｒｎ」が報知されているか否かについて通知する設定報知情報を報知するように構成されており、Ｉｄｌｅモードの移動局ＵＥは、セル＃２において報知されている設定報知情報に基づいて、隣接セルにおいて「Ｍｅａｓｕｒｅｍｅｎｔ  Ｓｕｂｆｒａｍｅ  Ｐａｔｔｅｒｎ」が報知されていることを検出した場合に、セル＃１において報知されている「Ｍｅａｓｕｒｅｍｅｎｔ  Ｓｕｂｆｒａｍｅ  Ｐａｔｔｅｒｎ」を受信し、かかる「Ｍｅａｓｕｒｅｍｅｎｔ  Ｓｕｂｆｒａｍｅ  Ｐａｔｔｅｒｎ」に基づいて「Ｍｅａｓｕｒｅｍｅｎｔ処理（測定処理）」を行うように構成されていることを要旨とする。
【００６２】
本実施形態の第２の特徴は、無線基地局ｅＮＢ＃１及び無線基地局ｅＮＢ＃２との間で通信可能な移動局ＵＥであって、Ｉｄｌｅモードである場合に、セル＃２において報知されている設定報知情報に基づいて、隣接セルにおいて「Ｍｅａｓｕｒｅｍｅｎｔ  Ｓｕｂｆｒａｍｅ  Ｐａｔｔｅｒｎ」が報知されていることを検出した場合に、セル＃１において報知されている「Ｍｅａｓｕｒｅｍｅｎｔ  Ｓｕｂｆｒａｍｅ  Ｐａｔｔｅｒｎ」を受信するように構成されている受信部２１と、受信部２１によって受信された「Ｍｅａｓｕｒｅｍｅｎｔ  Ｓｕｂｆｒａｍｅ  Ｐａｔｔｅｒｎ」に基づいて「Ｍｅａｓｕｒｅｍｅｎｔ処理」を行うように構成されている測定部２３とを具備することを要旨とする。
【００６３】
本実施形態の第１及び第２の特徴において、「Ｍｅａｓｕｒｅｍｅｎｔ  Ｓｕｂｆｒａｍｅ  Ｐａｔｔｅｒｎ」は、セル＃１においてＡＢＳとして設定されているサブフレームのうちの１又は複数のサブフレームを示してもよい。
【００６４】
なお、上述の無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ｅＮＢ＃２や移動局ＵＥ内に設けられていてもよい。また、かかる記憶媒体及びプロセッサは、ディスクリートコンポーネントとして無線基地局ｅＮＢ＃１/ｅＮＢ＃２や移動局ＵＥ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ｅＮＢ＃１、ｅＮＢ＃２…無線基地局
ＵＥ…移動局
１１、２１…受信部
１２、２２…判定部
１３…送信部
２３…測定部
【図１】
0005427829.tif 000002
【図２】
0005427829.tif 000003
【図３】
0005427829.tif 000004
【図４】
0005427829.tif 000005
【図５】
0005427829.tif 000006
【図６】
0005427829.tif 000007